(57)【要約】      （修正有）【課題】カバー装置の液排出部に回収容器及び回収チューブを選択的に接続することができ、カバー装置のコストダウンが図れる。【解決手段】２つの管を連結した管連結部５に対して空間部を有して覆うように２つの管に取付けられ、管連結部５から前記空間部に漏洩した液体を外部に排出する液排出部３１を有するカバー装置８に取付ける継手５０である。継手５０は、上方部の内側にはカバー装置８の液排出部３１に装着される装着穴５１が形成され、下方部の内側には回収容器６０のねじ部６１が螺合する雌ねじ部５２が形成され、雌ねじ部５２の内側には回収チューブが装着されるチューブ装着部５３が形成され、チューブ装着部５３には装着穴５１に連通する液流路５４が形成されている。【選択図】図１
0003112318.tif 000002
【実用新案登録請求の範囲】
【請求項１】
２つの管を連結した管連結部に対して空間部を有して覆うように前記２つの管に取付けられ、前記管連結部から前記空間部に漏洩した液体を外部に排出する液排出部を有するカバー装置において、上方部の内側には前記カバー装置の前記液排出部に装着される装着穴が形成され、下方部の内側には回収容器のねじ部が螺合する雌ねじ部が形成され、前記雌ねじ部の内側には回収チューブが装着されるチューブ装着部が形成され、前記チューブ装着部には前記装着穴に連通する液流路が形成されていることを特徴とする管連結部のカバー装置用継手。
【請求項２】
前記チューブ装着部は、前記継手の外周端面より突出して形成されていることを特徴とする請求項１記載の管連結部のカバー装置用継手。
【請求項３】
前記継手の雌ねじ部には、回収容器の口部のねじ部がねじ込まれていることを特徴とする請求項１記載の管連結部のカバー装置用継手。
【請求項４】
前記継手の前記チューブ装着部には、回収チューブが装着されていることを特徴とする請求項１又は２記載の管連結部のカバー装置用継手。
【考案の詳細な説明】
【技術分野】
【０００１】
本考案は、管同士を連結した管連結部から漏洩した液体を捕集する機能を備えた管連結部のカバー装置に用いる継手に関する。
【背景技術】
【０００２】
従来、管連結部のカバー装置として、例えば特許文献１及び２が挙げられる。１例として特許文献１の構造を図５乃至図７により説明する。
【特許文献１】特開平９−１４５４３号公報
【特許文献２】特開２００１−３３８８１４号公報
【０００３】
管１の連結フランジ２と管３の連結フランジ４との管連結部５は、ボルト・ナット６で結合されている。なお、連結フランジ２，４間にはパッキン７が挟み込まれている。カバー装置８は、第１カバー体１０と第２カバー体２０とからなり、管連結部５に対して適当な空間部を有して該管連結部５を覆うように管１，３に取付けられている。
【０００４】
第１カバー体１０は、内周側が開口した中空部材からなっており、半円弧状の周壁部１１とその周壁部１１の軸方向（図６の矢印Ｘ方向）の両端縁に連設された側壁部１２，１２とを備えている。側壁部１２，１２の内周縁には軸方向Ｘに突き出た半円弧状の縁枠部１３，１３が連設され、その縁枠部１３，１３に、それよりやや径大な半円弧状の開口端部１４，１４が一体に連設されている。そして、周壁部１１と側壁部１２，１２と縁枠部１３，１３と開口端部１４，１４に連設するようにフランジ部１５，１５が左右各側に張り出している。フランジ部１５，１５は、周囲にリブ１６，１６を有していると共に、所定箇所にボルト挿通孔１７・・・を有している。
【０００５】
第２カバー体２０は第１カバー体１０と略対称な形状になっている。即ち、第２カバー体２０も、内周側が開口した中空部材からなっており、半円弧状の周壁部２１とその周壁部２１の軸方向Ｘの両端縁に連設された側壁部２２，２２とを備えている。側壁部２２，２２の内周縁には軸方向Ｘに突き出た半円弧状の縁枠部２３，２３が連設され、その縁枠部２３，２３に、それよりやや径大な半円弧状の開口端部２４，２４が一体に連設されている。そして、周壁部２１と側壁部２２，２２と縁枠部２３，２３と開口端部２４，２４に連設するようにフランジ部２５，２５が左右各側に張り出している。フランジ部２５，２５は、周囲にリブ２６，２６を有していると共に、所定箇所にボルト挿通孔２７・・・を有している。
【０００６】
第２カバー体２０の周壁部２１には、排出用の液排出孔３０を有する液排出部３１が設けられている。液排出部３１は周壁部２１の最下位箇所に設けられている。また、第１カバー体１０のリブ１６，１６は、フランジ部１５，１５の裏面側方向（図７において下方）に突き出しているのに対し、第２カバー体２０のリブ２６，２６は、フランジ部２５，２５の表面側方向（図７において下方）に突き出ており、しかもリブ２６，２６がリブ１６，１６に対して嵌まり込むようになっている。
【０００７】
かかる構成よりなるカバー装置８の取付けは次のようにして行う。管連結部５の両側の管１，３の上側半周部分に管連結部５を跨いで第１カバー体１０が嵌合されると共に、管連結部５の両側の管１，３の下側半周部分に、液排出部３１が最下位箇所に位置するように、管連結部５を跨いで第２カバー体２０が嵌合される。そして、第１カバー体１０のフランジ部１５と第２カバー体２０のフランジ部２５との間にゴムパッキン４０を挟んだ状態で、それらのフランジ部１５，２５が、ボルト挿通孔１７・・・，２７・・・に挿通されたボルト４１・・・とそのボルト４１・・・にねじ込まれたナット４２により結合されている。管１，３と開口端部１４，２４との間に形成された隙間はコーキング剤４３で埋められている。
【０００８】
管連結部５にカバー装置８を装着して置くと、管連結部５から管路を流通する液体が漏洩したとしても、その漏洩した液体は第１カバー体１０と第２カバー体２０とにより囲まれた空間内に捕集され、捕集された液体は、第２カバー体２０の液排出孔３０を通して回収することができる。
【考案の開示】
【考案が解決しようとする課題】
【０００９】
ところで、管連結部５は、特許文献２（特許文献２では符号８で示す部分が管連結部となっている）に示すように、設置面より下方に配設された下方の管連結部と、設置面より上方に配設された上方の管連結部とが存在する。下方の管連結部に配設されたカバー装置の第２カバー体の液排出部においては、回収容器の取付け及び取外しが容易であるので、回収容器を直接接続させる。上方の管連結部に配設されたカバー装置の第２カバー体の液排出部においては、設置面より液排出部が高くて回収容器の取付け及び取外しが容易でないので、設置面に配設された回収容器に回収チューブを介して接続させる。
【００１０】
上記従来技術は、カバー装置の液排出部に回収容器を接続する場合と回収チューブを接続する場合とでは、液排出部の形状が異なり、カバー装置がコスト高になるという問題があった。
【００１１】
本考案の課題は、カバー装置の液排出部に回収容器及び回収チューブを選択的に接続することができ、カバー装置のコストダウンが図れる管連結部のカバー装置用継手を提供することにある。
【課題を解決するための手段】
【００１２】
上記課題を解決するための本考案の請求項１は、２つの管を連結した管連結部に対して空間部を有して覆うように前記２つの管に取付けられ、前記管連結部から前記空間部に漏洩した液体を外部に排出する液排出部を有するカバー装置において、上方部の内側には前記カバー装置の前記液排出部に装着される装着穴が形成され、下方部の内側には回収容器のねじ部が螺合する雌ねじ部が形成され、前記雌ねじ部の内側には回収チューブが装着されるチューブ装着部が形成され、前記チューブ装着部には前記装着穴に連通する液流路が形成されていることを特徴とする。
【００１３】
上記課題を解決するための本考案の請求項２は、請求項１において、前記チューブ装着部は、前記雌ねじ部の端面より突出して形成されていることを特徴とする。
【００１４】
上記課題を解決するための本考案の請求項３は、請求項１において、前記継手の雌ねじ部には、回収容器の口部のねじ部がねじ込まれていることを特徴とする。
【００１５】
上記課題を解決するための本考案の請求項３は、請求項１又は２において、前記継手の前記チューブ装着部には、回収チューブが装着されていることを特徴とする。
【考案の効果】
【００１６】
請求項１によれば、カバー装置の液排出部に継手の装着穴を装着すると、カバー装置の配設高さ位置に応じて継手の雌ねじ部に回収容器のねじ部を直接ねじ込んで取付けるか、またはチューブ装着部に回収チューブを装着することができる。即ち、継手を液排出部に取付けることにより、回収容器又は回収チューブを選択的に取付けることができ、カバー装置のコストダウンが図れる。
請求項２によれば、チューブ装着部を継手の外周端面より突出して形成しているので、回収チューブの装着が容易となるのみでなく、チューブ装着部の突出部に装着された回収チューブ上への固定用バンドの取付けが容易になる。
【考案を実施するための最良の形態】
【００１７】
本考案の管連結部のカバー装置用継手の一実施の形態を図１乃至図３により説明する。継手５０は、図１及び図３に示すように、上方の内側には液排出部３１の外周に装着される装着穴５１が形成され、下方の内側には回収容器６０の口部のねじ部６１が螺合する雌ねじ部５２が形成されている。雌ねじ部５２の内側には図２に示す回収チューブ７０が装着されるチューブ装着部５３が継手５０の外周端面より突出して形成されている。前記したように、チューブ装着部５３は回収容器６０のねじ部６１が螺合される雌ねじ部５２の内側に形成されているので、チューブ装着部５３は回収容器６０の口部内に挿入される大きさとなっている。チューブ装着部５３には第２カバー体２０の液排出孔３０より小径の液流路５４が形成され、液排出孔３０より液流路５４に液体がスムーズに流れるように、装着穴５１と液流路５４とはテーパ孔５５で連通されている。
【００１８】
図４は図２に示すように、継手５０に回収チューブ７０の一端を装着した場合において、回収チューブ７０の他端を回収容器６０に容易に接続するための接続具８０を示す。接続具８０の上方部分は、回収チューブ７０が装着されるチューブ装着部８１に形成されている。接続具８０の下方部分は、チューブ装着部８１より小径に形成され、この外周部に雄ねじ部８２が形成されている。また接続具８０には、軸心方向に貫通して液流路８３が形成されている。雄ねじ部８２にはナット８４が螺合される。なお、図２において、６２は、回収容器６０の口部を塞ぐように回収容器６０のねじ部６１に螺合される蓋を示す。
【００１９】
次に継手５０及び回収容器６０の取付けについて説明する。カバー装置８の配設された高さが設置面に近くて、図１に示すように液排出部３１に回収容器６０を直接取付ける場合は次のようにして行う。液排出部３１に継手５０の装着穴５１を嵌合させて装着し、回収容器６０のねじ部６１を継手５０の雌ねじ部５２にねじ込む。または、継手５０の雌ねじ部５２に回収容器６０のねじ部６１を予めねじ込んで継手５０に回収容器６０を取付けておく。そして、回収容器６０が取付けられた継手５０の装着穴５１を液排出部３１に嵌合させて装着する。これにより、回収容器６０は液排出部３１に取付けられる。この場合、チューブ装着部５３が回収容器６０内に挿入されているので、液排出孔３０に排出された液体は、チューブ装着部５３の液流路５４を通って回収容器６０に回収される。
【００２０】
カバー装置８の配設場所が設置面より高くて遠く、図２に示すように液排出部３１に回収チューブ７０を介して回収容器６０を取付ける場合には次のようにして行う。接続具８０の雄ねじ部８２を蓋６２に貫通させ、ナット８４を雄ねじ部８２にねじ込む。これにより、蓋６２は接続具８０に固定される。次に回収チューブ７０の一端を継手５０のチューブ装着部５３に装着し、回収チューブ７０の他端を接続具８０のチューブ装着部８１に装着する。そして、液排出部３１に継手５０の装着穴５１を嵌合させて装着し、蓋６２に回収容器６０のねじ部６１をねじ込む。これにより、回収容器６０は回収チューブ７０を介して液排出部３１に取付けられる。ここで、チューブ装着部５３を継手５０の外周端面より突出して形成すると、回収チューブ７０の装着が容易となるのみでなく、チューブ装着部５３の突出部に装着された回収チューブ７０上への固定用バンドの取付けが容易になる。
【００２１】
このように、カバー装置８の液排出部３１に継手５０の装着穴５１を装着すると、カバー装置８の配設高さ位置に応じて継手５０の雌ねじ部５２に回収容器６０のねじ部６１を直接ねじ込んで取付けるか、またはチューブ装着部５３に回収チューブ７０を装着することができる。即ち、継手５０を液排出部３１に取付けることにより、回収容器６０又は回収チューブ７０を選択的に取付けることができ、カバー装置８のコストダウンが図れる。
【図面の簡単な説明】
【００２２】
【図１】本考案の継手を管連結部のカバー装置に装着した状態の一実施の形態を示す要部断面図である。
【図２】本考案の継手を管連結部のカバー装置に装着した状態の他の実施の形態を示す要部断面図である。
【図３】本考案の管連結部のカバー装置用継手の一実施の形態を示し、（ａ）は縦断面図、（ｂ）は平面図、（ｃ）は底面図である。
【図４】回収チューブと回収容器との接続具の一実施の形態を示す断面図である。
【図５】管連結部のカバー装置の分解斜視図である。
【図６】管連結部の部分にカバー装置を取付けた状態を示す縦断面側面図である。
【図７】図６のＡ−Ａ線断面図である。
【符号の説明】
【００２３】
１，３    管
５    管連結部
８    カバー装置
３０    液排出孔
３１    液排出部
５０    継手
５１    装着穴
５２    雌ねじ部
５３    チューブ装着部
５４    液流路
６０    回収容器
６１    ねじ部
６２    蓋
７０    回収チューブ
８０    接続具
【図１】
0003112318.tif 000003
【図２】
0003112318.tif 000004
【図３】
0003112318.tif 000005
【図４】
0003112318.tif 000006
【図５】
0003112318.tif 000007
【図６】
0003112318.tif 000008
【図７】
0003112318.tif 000009